(57)【要約】【課題】簡易な構成で反射ミラーを精度よく支持し、輸送時の衝撃や走査等における振動に対して、その精度を保持することが可能なキャリッジを有する画像読取装置を提供する。【解決手段】ハーフレートキャリッジ１０２のキャリッジ本体２０は、アイドラプーリ４２が設けられて前記ガイドレール１０３に沿って走査されるキャリアフレーム２３と、該キャリアフレーム２３に反射ミラー２１，２２を固定するための反射ミラー支持フレーム２４とが組み合わされてなるものである。反射ミラー支持フレーム２４は、略横長矩形の薄板材の端部２４Ｒ、２４Ｌに、反射ミラー支持孔２４０，２４１、及びキャリアフレーム挟入孔２４２が夫々形成され、該端部２４Ｒ、２４Ｌが左右で対向するように略直角に折り曲げられてなる左右一体型のものである。【選択図】　　　図４
2004077851.tif 000002
【特許請求の範囲】
【請求項１】
原稿に対して光源が走査され、該原稿からの反射光が、キャリッジに支持された反射ミラーを介して結像ユニットへ導かれることにより、原稿の画像を読み取る画像読取装置において、
前記キャリッジは、ガイドレールに沿って走査されるキャリアフレームと、反射ミラー支持孔及びキャリアフレーム挟入孔が薄板材の両端部に夫々形成され、該両端部が左右で対向するように折り曲げられてなる左右一体型の反射ミラー支持フレームとが組み合わされてなるものであることを特徴とする画像読取装置。
【請求項２】
前記反射ミラー支持フレームに、両端部間に渡って縁部を折り曲げてなる補強用屈曲部が設けられたことを特徴とする請求項１に記載の画像読取装置。
【発明の詳細な説明】
【０００１】
【発明の属する技術分野】
本発明は、原稿に対して光源が走査され、該原稿からの反射光が、キャリッジに支持された反射ミラーを介して結像ユニットへ導かれることにより、原稿の画像を読み取る画像読取装置に関し、特に、簡易な構成で、反射ミラーを支持するキャリッジの強度を向上させることが可能な画像読取装置に関する。
【０００２】
【従来の技術】
スキャナ、ファクシミリ、複写機等には、プラテンガラス上に載置された紙等の原稿に対し、該プラテンガラスの下方において光源及び反射ミラー等を走査してＣＣＤ等の結像ユニットにより該原稿の画像読取りを行う画像読取装置が装備されているものがある。このような従来の画像読取装置として、例えば、原稿に光を照射するための光源と原稿からの反射光を所定方向へ反射する反射ミラーとを備えてなるフルレートキャリッジと、該フルレートキャリッジからの反射光をＣＣＤ等の結像ユニットへ導くための反射ミラーを備えてなるハーフレートキャリッジとがガイドレールに沿って走査可能に設けられ、ワイヤ駆動機構により該フルレートキャリッジ及びハーフレートキャリッジを走査するものがある。
【０００３】
図７は、従来の画像読取装置におけるハーフレートキャリッジの構成を示す分解斜視図であるが、該ハーフレートキャリッジ９００は、薄板材に、ミラー支持フレーム９０Ｒ，９０Ｌやアイドラプーリ等の取付け、反射光の光路のための切欠が適宜形成されてなるキャリアフレーム９１に、２つの反射ミラー９２，９３を、略４５°に傾斜させて上下対向位置に支持するミラー支持フレーム９０Ｒ，９０Ｌが、ビス等の固定具（図示せず）により固定されたものである。
【０００４】
前記ミラー支持フレーム９０Ｒ，９０Ｌは、略矩形の薄板材に、反射ミラー支持孔９４、キャリアフレームと嵌合するスリット９５、ネジ挿通孔９６等が打抜き形成され、その両側が略直角に折り曲げられることにより強度補強されたものである。該反射ミラー支持孔９４に、２つの反射ミラー９２，９３の両端部が夫々挿入されることにより、各反射ミラー９２，９３が略４５°に傾斜された状態で上下対向位置に支持される。また、反射ミラー９２，９３の両端部には、板バネを曲折してなる止具９７が装着され、該止具９７の付勢力により、反射ミラー９２，９３は反射ミラー支持孔９４の内周に押圧された状態で保持される。さらに、２つの反射ミラー９２，９３を支持したミラー支持フレーム９０Ｒ，９０Ｌは、そのスリット９５がキャリアフレーム９１に嵌合され、ネジ挿通孔９６に挿通されたネジ等の固定具によりキャリアフレーム９１に固定される。このように構成されたハーフレートキャリッジ９００によれば、フルレートキャリッジが水平方向に反射した原稿からの反射光は、反射ミラー９２により略鉛直下方に反射され、さらに反射ミラー９３により水平方向に反射されて、原稿からの反射光が結像ユニットへ導かれる。
【０００５】
【発明が解決しようとする課題】
原稿からの反射光が、フルレートキャリッジ及びハーフレートキャリッジを介して、確実に結像ユニットへ導かれるには、前記反射ミラー９２，９３の位置に高い精度が要求され、さらに、その精度は輸送時の衝撃や走査等における振動に耐えて保持されることが望ましい。一方、画像読取装置の解像度の向上やカラー画像の読取りのために、結像ユニットのレンズが大口径化しており、これに応じて反射ミラー９２，９３も大型化されて重量も増加する傾向にあるが、画像読取装置自体は小型化、軽量化が望まれている。従って、反射ミラー９２，９３を支持するミラー支持フレーム９０Ｒ，９０Ｌ等は、簡易な構成であって、且つ、従来より一層高い強度を有するものが望ましい。
【０００６】
本発明は、これらの点に鑑みてなされたものであり、簡易な構成で反射ミラーを精度よく支持し、輸送時の衝撃や走査等における振動に対して、その精度を保持することが可能なキャリッジを有する画像読取装置を提供することを目的とする。
【０００７】
【課題を解決するための手段】
本発明に係る画像読取装置は、原稿に対して光源が走査され、該原稿からの反射光が、キャリッジに支持された反射ミラーを介して結像ユニットへ導かれることにより、原稿の画像を読み取る画像読取装置において、前記キャリッジは、ガイドレールに沿って走査されるキャリアフレームと、反射ミラー支持孔及びキャリアフレーム挟入孔が薄板材の両端部に夫々形成され、該両端部が左右で対向するように折り曲げられてなる左右一体型の反射ミラー支持フレームとが組み合わされてなるものである。
【０００８】
これにより、反射ミラーの両端を支持する反射ミラー支持孔を、一枚の薄板材を打ち抜き加工等により形成することができ、反射ミラーを支持する位置や角度、また複数の反射ミラーが支持される場合には、それらの相対的な位置の精度が向上される。さらに、反射ミラーの両端を支持する反射ミラー支持フレームが左右一体となることにより、フレーム強度が向上され、衝撃や振動等に対して反射ミラーの位置を精度よく保持するものとなる。また、前記反射ミラー支持フレームに、両端部間に渡って縁部を折り曲げてなる補強用屈曲部を設けることにより、さらに、反射ミラー支持フレームの強度が向上されるので好ましい。
【０００９】
【発明の実施の形態】
以下、本発明の実施の形態に係る画像読取装置を図面に基づき具体的に説明する。なお、本実施の形態に係る画像読取装置は本発明の一例にすぎず、本発明の構成が該画像読取装置に限定されるものでないことは当然である。
【００１０】
図１は、本発明の実施の形態に係る画像読取装置１００を具備するコピー・ファクシミリ複合機１の上部の外観を示す概略斜視図である。図に示すように、該コピー・ファクシミリ複合機１は、読み取るべき原稿を載置するプラテンガラス２が配設された読取載置台３と、該原稿をプラテンガラス２上に押圧して固定する原稿押さえカバー４と、原稿の読取り開始等を入力するための操作パネル５とを具備してなる。以下に詳述する画像読取装置１００は、読取載置台３の内部に配設されており、プラテンガラス２の下方から原稿の画像を読み取るようになっている。
【００１１】
なお、図には示していないが、前記コピー・ファクシミリ複合機１は、読み取った画像を記録するための記録用紙を供給する給紙部や、記録用紙に画像を記録する画像記録部、画像を電送するための送信部等をも備えているが、該コピー・ファクシミリ複合機１は、本発明に係る画像読取装置を具備する機器の一例であり、これら画像記録部等は任意の構成であることは勿論である。
【００１２】
図２は、本画像読取装置１００の外観構成を示す概略斜視図である。図に示すように、本画像読取装置１００は、前記プラテンガラス２の下方において、原稿の読取面と平行方向に走査されるフルレートキャリッジ１０１及びハーフレートキャリッジ１０２と、フルレートキャリッジ１０１及びハーフレートキャリッジ１０２の両端部を夫々上下２段に支持し、且つこれらを走査方向に案内するガイドレール１０３と、ガイドレール１０３の内方に設けられてフルレートキャリッジ１０１及びハーフレートキャリッジ１０２を走査するための駆動力を伝達するワイヤ駆動機構１０４と、原稿からの反射光を電気信号に変換する結像ユニット１０５と、ワイヤ駆動機構１０４へ駆動力を付与する駆動ユニット１０６とを具備してなるものである。
【００１３】
図３は、フルレートキャリッジ１０１、ハーフレートキャリッジ１０２、及びワイヤ駆動機構１０４の主要構成を示した正面図であるが、図２及び図３に示すように、前記フルレートキャリッジ１０１は、キャリッジ本体１０に、原稿に光を照射するための光源１１と、原稿からの反射光Ｒ１を走査方向へ反射してハーフレートキャリッジ１０２へ導くための反射ミラー１２とを具備してなり、前記ハーフレートキャリッジ１０２は、キャリッジ本体２０に、フルレートキャリッジ１０１からの反射光Ｒ２を結像ユニット１０５へ導く２枚の反射ミラー２１、２２を具備してなるものである。また、図には詳細に示していないが、結像ユニット１０５は、ハーフレートキャリッジ１０２からの反射光Ｒ３を収束する収束レンズと、その収束光を電気信号に変換する電荷結合素子（Ｃｈａｒｇｅ　Ｃｏｕｐｌｅ　Ｄｅｖｉｃｅ、以下「ＣＣＤ」という。）とを備えてなる所謂縮小光学系のＣＣＤ読取ユニットである。
【００１４】
前記フルレートキャリッジ１０１及びハーフレートキャリッジ１０２がプラテンガラス２の下方を原稿と平行に移動して原稿の画像をスキャンし、フルレートキャリッジ１０１の光源１１から原稿に光が照射され、該原稿からの反射光Ｒ１が反射ミラー１２により水平方向の反射光Ｒ２として反射され、さらに、ハーフレートキャリッジ１０２の反射ミラー２１により鉛直下方へ反射された後、反射ミラー２２により水平方向の反射光Ｒ３として反射されることにより、結像ユニット１０５へ導かれて、ＣＣＤにより結像するものとなっている。
【００１５】
前記ガイドレール１０３は、図２に示すように、フルレートキャリッジ１０１及びハーフレートキャリッジ１０２の両端部に一対設けられており、該両端部を夫々摺動可能に担持することにより、フルレートキャリッジ１０１及びハーフレートキャリッジ１０２を夫々走査方向へ案内するものとなっている。フルレートキャリッジ１０１を担持する第１担持部３０と、ハーフレートキャリッジ１０２を担持する第２担持部３１とは、図３に点線で示すように、上下２段に構成されており、第１担持部３０は、走査方向の略全域に渡って設けられているのに対し、第２担持部３１は、走査方向の略半分より若干長く設けられている。
【００１６】
前記ワイヤ駆動機構１０４は、図２に示すように、前記ガイドレール１０３の内方において、フルレートキャリッジ１０１及びハーフレートキャリッジ１０２の両端部夫々に一対設けられている。図３は、その一対のうち正面側のワイヤ駆動機構１０４を示しており、図に示すように、フルレートキャリッジ１０１及びハーフレートキャリッジ１０２の走査方向に渡って、ワイヤ４０を巻架させてなるワイヤループが形成されている。
【００１７】
さらに詳細に説明するに、ワイヤ４０の一端が走査方向基端部に配設されたクランプ４１に固定され、該ワイヤ４０は、クランプ４１から正方向に延びて、ハーフレートキャリッジ１０２の本体に軸支されたアイドラプーリ４２に半周分巻回されて逆方向へ延びている。さらにワイヤ４０は、前記クランプ４１の下方に回転自在に固定された従動プーリ４３に半周分巻回されて、再び正方向へ延びている。走査方向先端部にも、従動プーリ４４が回転自在に固定されているが、該従動プーリ４４の手前側の斜め下方に駆動プーリ４５が配設されており、前記従動プーリ４３から正方向へ延びたワイヤ４０は、駆動プーリ４５に１周分或いはそれ以上巻回された後、従動プーリ４４に半周分巻回されて逆方向へ延びている。さらにワイヤ４０は、再び、前記アイドラプーリ４２に半周分巻回されて正方向へ延び、前記第２担持部３１の先端部に形成されたワイヤ張設機構４６により、緊張力が付与された状態で固定されている。即ち、ワイヤ４０の他端に設けられたフックが連結部材６３に係止され、該連結部材６３は、スプリング（引張りバネ）６２の張力が付与された状態で第２担持部３１の先端部にボルト等により締結されている。また、前記従動プーリ４４及びアイドラプーリ４２間の所定位置で、フルレートキャリッジ１０１のキャリッジ本体１０がワイヤクランプ機構１０７によってワイヤ４０に固定されている。
【００１８】
このように構成されたワイヤループに、駆動プーリ４５の回転により駆動力が付与されると、駆動プーリ４５が時計方向に回転することにより、フルレートキャリッジ１０１及びハーフレートキャリッジ１０２は右方向に走査され、駆動プーリ４５が反時計方向に回転することにより、フルレートキャリッジ１０１及びハーフレートキャリッジ１０２は左方向に走査される。また、フルレートキャリッジ１０１の走査速度に対して略１／２の速度でハーフレートキャリッジ１０２が走査されるものとなっており、図３に示すように、走査方向基端部から走査方向先端部に渡って走査距離Ｌ１だけフルレートキャリッジ１０１が走査される間に、ハーフレートキャリッジ１０２は、その約半分の走査距離Ｌ２だけ走査される。なお、図には示していないが、前記ガイドレール１０３、クランプ４１、従動プーリ４３，４４は画像読取装置１００の本体等の適当な箇所にボルト等の固定手段によって固定されている。
【００１９】
図４は、前記ハーフレートキャリッジ１０２の詳細な構成を示す分解斜視図であり、図５は、ハーフレートキャリッジ１０２のＩ−Ｉ断面を示している。図に示すように、ハーフレートキャリッジ１０２のキャリッジ本体２０は、アイドラプーリ４２が設けられて前記ガイドレール１０３に沿って走査されるキャリアフレーム２３と、該キャリアフレーム２３に反射ミラー２１，２２を固定するための反射ミラー支持フレーム２４とが組み合わされてなるものである。
【００２０】
キャリアフレーム２３は、ミラー支持フレーム２４と組み合された際に反射ミラー２１，２２の光路となる位置が凹欠された平面視が略コの字状の平板であり、薄板材を打ち抜き及び曲折加工して形成されたものである。その周縁部は夫々下方に曲折されて、キャリアフレーム２３の強度が高められており、略コの字状の内周端には、前記ミラー支持フレーム２４を取り付けるための切欠部２３０が夫々設けられている。該切欠部２３０により、ミラー支持フレーム２４の取付側には薄板材の垂直断面が露呈され、ミラー支持フレーム２４がキャリアフレーム２３を厚み方向で挟入するようにして嵌合できるようになっている。さらに、各切欠部２３０には、略鉛直に起立したブラケット２３１が夫々形成されており、各ブラケット２３１にはネジ挿通孔２３２が穿設されている。該ブラケット２３１は、ミラー支持フレーム２４の側面と外接して、ミラー支持フレーム２４の嵌合位置を規制し、そのネジ挿通孔２３２に挿通されたネジ（不図示）により、ミラー支持フレーム２４が固定されるようになっている。また、キャリアフレーム２３の両端部には、前記アイドラプーリ４２を配設するためのアイドラプーリ取付孔２３３が穿設されている。
【００２１】
反射ミラー支持フレーム２４は、略横長矩形の薄板材の端部２４Ｒ、２４Ｌに、反射ミラー支持孔２４０，２４１、及びキャリアフレーム挟入孔２４２が夫々形成され、該端部２４Ｒ、２４Ｌが左右で対向するように略直角に折り曲げられてなる左右一体型のものである。また、端部２４Ｒ、２４Ｌ間の中央部２４Ｃの上下方向の縁部には、端部２４Ｒ、２４Ｌと同方向に所定角度だけ折り曲げてなる補強用屈曲部２４３が形成されており、中央部２４Ｃの強度が増強されている。
【００２２】
図６は、前記反射ミラー支持孔２４０，２４１、及びキャリアフレーム挟入孔２４２を薄板材に打ち抜き形成した後であって、端部端部２４Ｒ、２４Ｌを折り曲げ加工する前の状態の反射ミラー支持フレーム２４を示すものであり、図において２点鎖線は、その後の曲折位置を示している。図に示すように、反射ミラー支持フレーム２４の端部２４Ｒ，２４Ｌは、端部中央が長手方向に突出した凸形状となっており、該突出部分から長手方向へスリット状のキャリアフレーム挟入孔２４２が夫々切欠されている。該キャリアフレーム挟入孔２４２の幅は、前記キャリアフレーム２３の薄板材の厚みより大きく、その内周縁の２箇所に、内方へ半円状に膨出する突片２４２ａが上下方向に対向して形成されている。一対の突片２４２ａ間の距離は、キャリアフレーム２３の薄板材の厚みと同等或いは若干狭く、該突片２４２ａ間でキャリアフレーム２３を挟入するようになっている。
【００２３】
これにより、図５に示すように、反射ミラー支持フレーム２４を、キャリアフレーム２３の切欠部２３０から水平方向に容易に組み合わせることができ、キャリアフレーム２３に対する反射ミラー支持フレーム２４の高さ位置が所定位置に保持されるとともに、反射ミラー支持フレーム２４の長手方向が、キャリアフレーム２３の水平面と同方向に、即ち水平方向に保持される。なお、端部２４Ｒ，２４Ｌの形状は前述したように凸状に限られず、矩形等の他の形状であってもよいが、端部２４Ｒ，２４Ｌの周囲にはアイドラプーリ４２等の他の部材が配設されるので、そのスペースを確保するためや軽量化を図るためには余分な箇所は切除することが好ましい。
【００２４】
また、図６に示すように、各端部２４Ｒ，２４Ｌには、反射ミラー支持孔２４０，２４１が夫々穿設されている。各端部２４Ｒ，２４Ｌにおける反射ミラー支持孔２４０，２４１は、夫々が長手方向に対して４５°の角度であって、反射ミラー支持孔２４０，２４１間の距離が両端に向かって広がるように傾斜した略矩形のものであり、反射ミラー支持孔２４０には、前記反射ミラー２１の両端が挿入され、反射ミラー支持孔２４１には、前記反射ミラー２２の両端が挿入される。図５に示すように、各反射ミラー支持孔２４０，２４１は、反射ミラー２１，２２の断面より若干大きいものであり、反射ミラー２１，２２の反射面を支持する側の２箇所に、半円状に膨出する突片２４０ａ，２４１ａが形成されており、該突片２４０ａ、２４１ａにより、反射ミラー２１，２２の反射面の位置が規制されるようになっている。一方、突片２４０ａ、２４１ａが形成された反対側の中央付近には、反射ミラー２１，２２を固定するための止具２５の取り扱いの便宜のために、反射ミラー２１，２２の厚み方向に切欠部２４０ｂ、２４１ｂが形成されている。
【００２５】
このように形成された反射ミラー支持孔２４０，２４１及びキャリアフレーム挟入孔２４２により、キャリアフレーム挟入孔２４２が切欠された長手方向、即ちキャリアフレーム２３の水平面に対して、突片２４０ａ，２４１ａにより支持される反射ミラー２１，２２の反射面を夫々４５°に維持することができ、水平方向に対する反射ミラー２１，２２の角度、及び、反射ミラー２１，２２の相対的な位置並びに角度が常時一定に維持される。また、反射ミラー支持孔２４０，２４１及びキャリアフレーム挟入孔２４２は、１枚の薄板材を打ち抜き加工することにより形成できるので、これらの位置及び角度の精度は高く、左右一体であることにより強度が向上され、振動等に対して該精度を保持することができ、また、画像読取装置１００の組立時に左右夫々の支持位置を微調整する必要もなく、組立作業が容易となる。なお、前記反射ミラー支持孔２４０，２４１及びキャリアフレーム挟入孔２４２には、夫々２箇所に突片２４０ａ、２４１ａ又は突片２４２ａが形成されているが、これら突片２４０ａ、２４１ａ，２４２ａの数を適宜増やすことも勿論可能である。
【００２６】
さらに、各端部２４Ｒ，２４Ｌには、キャリアフレーム２３のブラケット２３１と対応する位置にネジ穴２４４が形成されている。前記ネジ挿通孔２３２に挿通されたネジが該ネジ穴２４４と螺合することにより、ミラー支持フレーム２４がキャリアフレーム２３に固定されるようになっている。前述したように、キャリアフレーム２３に対する反射ミラー支持フレーム２４の高さ位置や反射ミラー２１，２２の角度等は、反射ミラー支持孔２４０，２４１及びキャリアフレーム挟入孔２４２により設定されているので、多数の固定具により高さ位置や角度の調整をする必要がなく、左右１対のネジにより、キャリアフレーム２３と反射ミラー支持フレーム２４との組合せを固定するのみで十分であり、組立や調整の際の作業が容易となる。
【００２７】
また、図６に示すように、各端部２４Ｒ，２４Ｌと中央部２４Ｃとの境界には、上下一対の切込み２４５が夫々形成されている。該切込み２４５は、中央部２４Ｃの縁部を曲折して補強用屈曲部２４３を形成するためのものであり、また、各端部２４Ｒ，２４Ｌの曲折を容易とするためのものでもある。
【００２８】
このように、図６に示したように、薄板材に反射ミラー支持孔２４０，２４１、キャリアフレーム挟入孔２４２、ネジ穴２４４、及び切込み２４５が夫々打ち抜き形成され、その後、２点鎖線で示す位置で端部２４Ｒ，２４Ｌが略直角に曲折されることにより端部２４Ｒ，２４Ｌが対向し、補強用屈曲部２４３が所定角度で曲折されることにより中央部２４Ｃが補強されて、前記反射ミラー支持フレーム２４が作製される。
【００２９】
なお、端部２４Ｒ，２４Ｌの曲折角度は略直角であるが、キャリアフレーム２３に対する反射ミラー支持フレーム２４の位置及び角度や、反射ミラー２１，２２の支持角度は、キャリアフレーム挟入孔２４０及び反射ミラー支持孔２４１，２４２により設定されているので、該曲折角度の誤差が反射ミラー支持フレーム２４の高さ位置や角度等に与える影響は少ない。
【００３０】
このように、本画像読取装置１００は、ハーフレートキャリッジ１０２のキャリッジ本体２０を、キャリアフレーム２３と反射ミラー支持フレーム２４とで構成し、反射ミラー２１，２２の両端を、左右一体の反射ミラー支持フレーム２４の端部２４Ｒ，２４Ｌで支持させることにより、反射ミラー支持フレーム２４の強度を向上させ、反射ミラー２１，２２の位置や角度の精度を高く維持することが可能となる。また、キャリアフレーム２３及び反射ミラー支持フレーム２４の構成や固定も簡略化され、組立や調整時の作業も簡便となる。
【００３１】
なお、本実施の形態では本画像読取装置１００が装備されたコピー・ファクシミリ複合機１を例に説明したが、本発明に係る画像読取装置が、スキャナ等の他の装置にも適用できることは当然である。また、前記反射ミラー支持フレーム２４は、２枚の反射ミラー２１，２２を支持するハーフレートキャリッジ１０２を例に説明したが、反射ミラー１２を支持するフルレートキャリッジ１０１のキャリッジ本体１０においても、前記キャリアフレーム２３及び反射ミラー支持フレーム２４と同様の構成を利用することは勿論可能である。
【００３２】
【発明の効果】
このように、本発明に係る画像読取装置によれば、原稿からの反射光を結像ユニットへ導くための反射ミラーを支持するキャリッジを、ガイドレールに沿って走査されるキャリアフレームと、反射ミラー支持孔及びキャリアフレーム挟入孔が薄板材の両端部に夫々形成され、該両端部が左右で対向するように折り曲げられてなる左右一体型の反射ミラー支持フレームとが組み合わされてなるものとしたので、反射ミラーを支持する位置や角度等の精度が向上され、また、フレームの強度が向上されて、衝撃や振動等に対して反射ミラーの位置を精度よく保持することができる。これにより、画像読取装置の解像度等の向上に寄与することが期待される。さらに、反射ミラー支持フレームの固定が簡略化され、組立やメンテナンス等の作業が簡便となる。
【図面の簡単な説明】
【図１】コピー・ファクシミリ複合機１の外観を示す概略斜視図である。
【図２】画像読取装置１００の構成を示す概略斜視図である。
【図３】フルレートキャリッジ１０１、ハーフレートキャリッジ１０２、及びワイヤ駆動機構１０４の構成を示す正面図である。
【図４】ハーフレートキャリッジ１０２の構成を示す分解斜視図である。
【図５】ハーフレートキャリッジ１０２のＩ−Ｉ断面を示す断面図である。
【図６】曲折前の反射ミラー支持フレーム２４の構成を示す正面図である。
【図７】従来の画像読取装置におけるハーフレートキャリッジの構成を示す分解斜視図である。
【符号の説明】
１００　画像読取装置
１０１　フルレートキャリッジ
１０２　ハーフレートキャリッジ
１０３　ガイドレール
１０４　ワイヤ駆動機構
１０５　結像ユニット
１０６　駆動ユニット（駆動源）
１１　光源
１２，２１，２２　反射ミラー
２３　キャリアフレーム
２４　反射ミラー支持フレーム
２４Ｒ，２４Ｌ　端部
２４０，２４１　反射ミラー支持孔
２４２　キャリアフレーム挟入孔
２４３　補強用屈曲部
【図１】
2004077851.tif 000003
【図２】
2004077851.tif 000004
【図３】
2004077851.tif 000005
【図４】
2004077851.tif 000006
【図５】
2004077851.tif 000007
【図６】
2004077851.tif 000008
【図７】
2004077851.tif 000009